(57)【要約】      （修正有）【課題】遮光性のみならず屋外環境における耐久性にも優れた遮光ネットを提供する。【解決手段】遮光ネット１は、合成樹脂からなる繊維素材により表面１１及び背面１２を有する立体編み構造で形成される透過性基材からなる遮光ネット１であって、前記透過性基材の表面及び背面に、各々ナノオーダー及びマイクロオーダーの平均粒径が異なる光触媒１１ａ、１２ａが塗布されている。【選択図】図１
0003202028.tif 000002
【実用新案登録請求の範囲】
【請求項１】
合成樹脂からなる繊維素材により表面及び背面を有する立体編み構造で形成される透過性基材からなる遮光ネットであって、
前記透過性基材の表面及び背面に、各々平均粒径が異なる光触媒が塗布されていることを特徴とする
遮光ネット。
【請求項２】
請求項１に記載の遮光ネットにおいて、
前記透過性基材の表面及び背面に塗布される光触媒の平均粒径が、表面及び背面のうち一方がナノオーダーであり、他方がマイクロオーダーであることを特徴とする
遮光ネット。
【請求項３】
請求項１又は請求項２に記載の遮光ネットにおいて、
前記透過性基材が、ダブルラッセルメッシュ構造を有することを特徴とする
遮光ネット。
【請求項４】
請求項１〜３のいずれかに記載の遮光ネットにおいて、
前記合成樹脂が、ポリプロピレン、ポリエチレン、及びポリエステルの少なくともいずれかであることを特徴とする
遮光ネット。
【請求項５】
請求項１〜４のいずれかに記載の遮光ネットにおいて、
前記透過性基材の表面に霧を噴霧する噴霧手段を備えることを特徴とする
遮光ネット。
【考案の詳細な説明】
【技術分野】
【０００１】
本考案は、屋外に設置される機器を遮光する遮光ネットに関し、特に、遮光性のみならず屋外環境における耐久性にも優れた遮光ネットに関する。
【背景技術】
【０００２】
屋外に設置される機器は、常に外気に曝されることから、外気による湿度や温度の変動を直接受けるという厳しい環境下で、安定して稼動することが要求されている。このような機器としては、例えば、空調設備に用いられる室外機がある。
【０００３】
一般に、空調設備は、室内の熱を室内機の熱交換器に導入した後、冷媒を室外機の熱交換器に送り、その結果生じた熱を大気中に放出するという仕組みによって、空調機能を実現させている。このような空調設備に用いられる室外機は、コンプレッサーを使って冷媒を圧縮して液化させ、また逆に膨張させて気化させることにより、それに伴う温度の変化を利用して室温をコントロールする装置である。
【０００４】
このような室外機の多くは、軒下、ベランダ、テラス、屋根、又は屋上等に直接取付けられており、直射日光が当たる状態で設置されている。
【０００５】
そのため、特に夏季には、室外機が取り付けられている屋根や屋上自体の表面温度が６０〜７０℃前後の高温に達すると共に、屋根裏や室内もかなりの高温に達することから、空調設備の空調機能が安定的に機能しなくなる。さらに、このような高温状況は、室外機の熱交換器に対しても負荷を与え、正常で安定した稼動を阻害する要因ともなっている。
【０００６】
さらに、室外機は太陽の光を直接浴びることから、特に夏季には、室外機の周辺温度は、室外機のコンプレッサーにより吐出された冷媒の熱（５０〜６０℃）よりもかなり高温となっている。このような状況では、室外機は、高温の外気を吸引することとなり、稼動時にかなりの負荷がかかっている。
【０００７】
その一方で、冬季には、夜間の冷え込みや雪などの影響もあり、外気温が極端に下がる。暖房を使うときに室内の冷気が冷媒配管を伝わって室外機に送られるが、吸引される外気温が低いと室外機の熱交換器に負荷をかけることになる。
【０００８】
このように、室内機及び室外機の熱交換器が作動する時点では、かなりの負荷電力を消耗するものとなっている。そのため、屋外に設置される機器の機能を維持・確保させて安定稼動させると共に、これらの機器を外気から保護することが要求されている。このようなニーズに応えるものとして、太陽光を遮光するためのネット状の網目形状を有する遮光ネットが提案されている。
【０００９】
例えば、従来の遮光ネットは、合成繊維から成るメッシュ状の織編物であって、１００〜５００ｇ／ｍ２の樹脂で被覆されており、引張強度が１０ｋＮ／ｍ以上かつ引張剛性が１０００ｋＮ／ｍ以下のものがある（例えば、特許文献１参照）。
【先行技術文献】
【特許文献】
【００１０】
【特許文献１】特開２０１３−２０４３５９号公報
【考案の概要】
【考案が解決しようとする課題】
【００１１】
しかし、従来の遮光ネットは、単に太陽光を遮るための遮光機能のみを目的としており、屋外に常時設置されることに起因する特有な課題があった。
【００１２】
すなわち、従来の遮光ネットは、常に外気に曝されることから、直に直射日光や風雨に曝されることとなり、温度や湿度の変動をそのまま受けてしまう。さらに、屋外に設置されることから、自然界に多数存在する菌類によって、腐食や侵食も受け易い。このような結果として、従来の遮光ネットでは、耐久性が著しく損なわれてしまい、十分な遮光性能を長期間にわたって発揮することができないという課題があった。
【００１３】
本考案は前記課題を解決するためになされたものであり、遮光性のみならず屋外環境における耐久性にも優れた遮光ネットの提供を目的とする。
【課題を解決するための手段】
【００１４】
本願に開示する遮光ネットは、合成樹脂からなる繊維素材により表面及び背面を有する立体編み構造で形成される透過性基材からなる遮光ネットであって、前記透過性基材の表面及び背面に、各々平均粒径が異なる光触媒が塗布されているものである。
【００１５】
このように、前記透過性基材の表面及び背面に、各々平均粒径が異なる光触媒が塗布され、その平均粒径と波長（吸収又は反射）の相関関係から、光触媒の平均粒径が小さい場合は紫外線を吸収しやすくなり、光触媒の平均粒径が大きい場合は赤外線を反射しやすくなることから、前記透過性基材の表面又は背面のいずれか一方では赤外線を反射し、他方では紫外線を吸収することとなり、基材の表面又は背面のいずれか一方で赤外線反射による断熱性（保温性）の維持がなされると共に、他方で紫外線吸収による殺菌作用の維持がなされることとなり、屋外環境における外気による温度湿度の変動及び菌類による影響を抑制することができ、長期間にわたって、安定的に遮光性能を維持することができる。
【００１６】
本願に開示する遮光ネットは、必要に応じて、前記透過性基材の表面及び背面に塗布される光触媒の平均粒径が、表面及び背面のうち一方がナノオーダーであり、他方がマイクロオーダーであるものである。
【００１７】
このように、前記透過性基材の表面及び背面に塗布される光触媒の平均粒径が、表面及び背面のうち一方がナノオーダーであり、他方がマイクロオーダーであることから、平均粒径がナノオーダーの光触媒では波長の短い側の光（紫外線）が選択的に吸収され易くなり、平均粒径がマイクロオーダーの光触媒では波長の長い側の光（赤外線）が選択的に吸収され易くなり、この平均粒径と波長（吸収又は反射）の相関関係から、前記透過性基材の表面及び背面のうち、塗布された光触媒の平均粒径が小さい側ではより紫外線を選択的に吸収しやすくなり、塗布された光触媒の平均粒径が大きい側ではより赤外線を選択的に反射しやすくなることから、基材の表面又は背面のいずれか一方で赤外線反射による断熱性（保温性）の維持がより高精度になされると共に、他方で紫外線吸収による殺菌作用の維持がより高精度になされることとなり、屋外環境における外気による温度湿度の変動及び菌類による影響を効率的に抑制することができ、長期間にわたって、さらに安定的に遮光性能を維持することができる。
【００１８】
本願に開示する遮光ネットは、必要に応じて、前記透過性基材が、ダブルラッセルメッシュ構造を有するものである。このように、ダブルラッセルメッシュ構造により前記透過性基材の表面及び背面の間に中空状の中間層が存することにより、内部の通気性が向上し、より温度及び湿度の滞留状態が放散されやすくなることとなり、さらに屋外環境における外気による温度湿度の変動及び菌類の繁殖を効率的に抑制することができ、長期間にわたって、さらに安定的に遮光性能を維持することができる。
【００１９】
本願に開示する遮光ネットは、必要に応じて、前記合成樹脂が、ポリプロピレン、ポリエチレン、及びポリエステルの少なくともいずれかであるものである。このように、前記合成樹脂が、ポリプロピレン、ポリエチレン、及びポリエステルの少なくともいずれかであることから、前記透過性基材がより軽量で遮光性及び通気性に優れた材料から構成されることとなり、風雨や台風等の自然現象に対する耐候性が強化され、長期間にわたって、さらに安定的に遮光性能を維持することができる。
【００２０】
本願に開示する遮光ネットは、必要に応じて、前記透過性基材の表面に霧を噴霧する噴霧手段を備えるものである。このように、前記透過性基材の表面に霧を噴霧する噴霧手段を備えることから、紫外線と前記透過性基材の表面の光触媒と水とが化学的に反応することとなり、気化熱の蒸散効果を更に増すことができる。
【図面の簡単な説明】
【００２１】
【図１】本発明の第１の実施形態に係る遮光ネットの構成図を示す。
【図２】本発明の第１の実施形態に係る遮光ネットを室外機に取付けた説明図を示す。
【図３】本発明の第１の実施形態に係る遮光ネットを取付けた室外機と室内機との接続を説明する説明図を示す。
【図４】本発明の第１の実施形態に係る遮光ネットを室外機及び屋根に取付けた説明図を示す。
【図５】本発明の第２の実施形態に係る遮光ネットの構成図を示す。
【図６】本発明の第３の実施形態に係る遮光ネットの構成図（ａ）、及びその他の実施形態に係る遮光ネットの構成図（b）を示す。
【考案を実施するための形態】
【００２２】
（第１の実施形態）
以下、第１の実施形態に係る遮光ネットを説明する。
【００２３】
第１の実施形態に係る遮光ネットは、図１（ａ）に示すように、合成樹脂からなる繊維素材により表面及び背面を有する立体編み構造で形成される透過性基材からなる遮光ネット１であって、前記透過性基材の表面１１及び背面１２に、各々平均粒径が異なる光触媒が、表面側光触媒１１ａ及び背面側光触媒１２ａとして、塗布されている構成である。表面１１及び背面１２の間には中空状の中間層１３が形成される。
【００２４】
透過性基材は立体編み構造によって光を透過するという性質を有するものである。この透過性基材に塗布される光触媒の平均粒径は、表面側光触媒１１ａ及び背面側光触媒１２ａが各々異なっていれば特に限定されないが、図１（ｂ）に示すように、表面側光触媒１１ａに平均粒径の大きい光触媒を用いると共に、背面側光触媒１２ａには、表面側光触媒１１ａに用いる光触媒よりも、平均粒径の小さい光触媒を用いるという構成が可能である。
【００２５】
このような構成から、図１（ｃ）に示すように、その平均粒径と波長（吸収又は反射）の相関関係によって、光触媒の平均粒径が小さい背面側光触媒１２ａでは紫外線Aを吸収しやすくなり、光触媒の平均粒径が大きい表面側光触媒１１ａでは赤外線Bを反射しやすくなることから、透過性基材の表面１１では赤外線Bを反射し、背面１２では紫外線Aを吸収することとなり、透過性基材の表面１１では赤外線Bの反射による断熱性（保温性）の維持がなされると共に、背面１２で紫外線Aの吸収による殺菌作用の維持がなされることとなり、屋外環境における外気による温度湿度の変動及び菌類による影響を抑制することができ、長期間にわたって、安定的に遮光性能を維持することができる。
【００２６】
さらに、光触媒の平均粒径については、表面側光触媒１１ａに用いる平均粒径の大きい光触媒については、マイクロオーダーであり、背面側光触媒１２ａに用いる平均粒径の小さい光触媒については、ナノオーダーであることがより好ましい。
【００２７】
この構成により、平均粒径がナノオーダーの光触媒では波長の短い側の光（紫外線）が選択的に吸収され易くなり、平均粒径がマイクロオーダーの光触媒では波長の長い側の光（赤外線）が選択的に吸収され易くなり、この平均粒径と波長（吸収又は反射）の相関関係から、透過性基材の表面１１及び背面１２のうち、塗布された光触媒の平均粒径が小さい背面側光触媒１２ａではより紫外線を選択的に吸収しやすくなり、塗布された光触媒の平均粒径が大きい表面側光触媒１１ａではより赤外線を選択的に反射しやすくなることから、透過性基材の表面１１では赤外線Aの反射による断熱性（保温性）の維持がより高精度になされると共に、背面１２では紫外線Bの吸収による殺菌作用の維持がより高精度になされることとなり、屋外環境における外気による温度湿度の変動及び菌類による影響を効率的に抑制することができ、長期間にわたって、さらに安定的に遮光性能を維持することができる。
【００２８】
塗布に用いることができる光触媒の種類としては、特に限定されないが、入手の容易さや取り扱い易さの点から、酸化チタンを用いることが好ましく、例えば、ルチル型又はアナターゼ型の酸化チタンを用いることができ、酸化還元力の強さ及び微粒子の得られ易さからは、アナターゼ型の酸化チタンを用いることが好ましい。酸化チタンの塗布方法としては、特に限定されないが、より強固な塗布が行えるという点から、高温蒸着を行うことが好ましい。
【００２９】
高温蒸着を行うことによって、光触媒である酸化チタンが繊維素材の表面に強固に被覆されることから、酸化チタン由来の光線作用（紫外線Aの吸収又は赤外線Bの反射）が増幅されることとなり、この光線作用によって、優れた抗菌性及び親水性を奏すると共に、酸化チタン由来の光触媒反応とも相俟って、繊維素材の耐久性能を向上させた遮光ネット１が得られる。
【００３０】
さらに、このように光触媒を蒸着した遮光ネット１は、紫外線Aと空気中の酸素や水に反応して活性酸素を発生させると共に、酸化チタン由来の親水性（水の濡れ性が向上することにより、水分を滑り易くさせる性質）により、水分の流れが生じて水分が排水され、繊維素材の表面に付いた有害物質や汚れ等も化学反応で分解（セルフクリーニング）されることとなり、空気浄化や温暖化ガスの削減等の環境に役立つ効果も奏する。一方、このような親水性により保水された水分が気化熱として蒸散するときに、繊維素材の表面の熱や周辺の熱も同時に蒸散するという効果も奏する。
【００３１】
このような繊維素材を構成する合成樹脂の種類は、特に限定されないが、ポリプロピレン（ＰＰ）、ポリエチレン（ＰＥ）、及びポリエステル（ＰＥＴ）の少なくともいずれかであることが好ましい。ポリプロピレン、ポリエチレン、及びポリエステルの１種類のみを用いてもよいし、これらを複数組み合わせたものでもよい。
【００３２】
合成樹脂によって、透過性基材をより軽量化することができ、さらに遮光性及び通気性にも優れることとなり、風雨や台風等に対する耐候性が強化され、長期間にわたって、さらに安定的に遮光性能を維持することができる。
【００３３】
このような繊維素材から形成され、表面１１及び背面１２を有する立体編み構造としては、編み方や織り方等については特に限定されないが、表面積を広くできるという点から、平織、ラッセル織、又はダブルラッセルメッシュ構造の織を用いることが好ましく、より表面積を増大させるという点から、二重構造や三重構造の立体的な構造であることが好ましく、特にダブルラッセルメッシュ構造の織が好ましい。
【００３４】
すなわち、遮光ネット１の上面から順に、表面１１（表層面）、中間層１３、背面１２（下層面）となるように、立体的なメッシュ構造が繊維素材により形成されることによって、光を遮光ネット１の内部まで隅々に取り込むことが可能となり、光触媒反応の触媒作用の領域を拡大することができる。
【００３５】
この中間層１３は、中空状であり、酸化チタンの塗布状態は特に限定されないが、平均粒径が小さい酸化チタンを塗布することが好ましく、その平均粒径は上記ナノオーダーであることがより好ましい。この中間層１３では、内部に透過する紫外線を、この平均粒径の小さい酸化チタンが吸収することから、強い酸化作用と上記親水性が共に作用することとなり、有害物質の分解や汚れなどの定着を抑制することができる。
【００３６】
また、この中間層１３では、内部に透過する紫外線が吸収され易なることから、酸化チタン由来の親水性により透過した水分が中間層１３から背面１２への移動（排水）が促進されることとなり、遮光ネット１の周辺の熱を奪い、気化熱として蒸散する範囲を広げることが可能となる。
【００３７】
なお、中間層１３に関するその他の構成としては、酸化チタンを塗布しないとすることも可能である。この場合には、より簡素な構成で遮光ネット１が形成されることから、より低コストで遮光ネット１を形成できる。
【００３８】
また、背面１２（下層面）は、さらに、ゼオライト、シラスバルン、又は活性炭（カーボンも含む）の少なくともいずれかを、追加で被覆することも可能である。この場合には、光がこもりがちな背面１２において、抗菌性や断熱性（保温性）が高められ、耐久性をより向上させることができる。
【００３９】
上記構成を有する遮光ネット１は、図２に示すように、屋根や屋上などに直に設置された室外機１００（回転ファンにより排気を行う吐出口１０１を有する）を取付対象として取付けることが可能である。その場合には、室外機１００の周辺に、アルミやステンレス等の鋼材を使って４面ないし一部５面に支柱としてのアングル２００を組み立てる。その室外機１００を取り囲むように遮光ネット１で覆い、その遮光ネット１を特殊金具等を使って固定する。
【００４０】
この際に、遮光ネット１は、室外機１００の吐出口１０１を塞がないように設置する。室外機１００と遮光ネット１の周辺は、熱がこもり易いため、３０〜５０ｃｍ程度の隙間ｄを空けることが好ましく、この隙間ｄで空気層が形成され、通気性が向上する。この隙間ｄによって、遮光ネット１は、太陽光を遮蔽することにより表面温度を調整すると共に、３０〜５０ｃｍの空気層が屋根や室外機１００の周辺温度を調整する役割を果たす。
【００４１】
室外機１００は、図５に示すように、上記吐出口１０１の他に、内部に、冷媒を用いて熱交換を行う熱交換器１０２、冷却を行うコンプレッサー１０３、コンプレッサー１０３に冷媒を吸入する吸入口１０４、及び、コンプレッサー１０３に冷媒を排出する排出口１０５を備え、冷媒配管３００を経由して、室内機４００（熱交換器４０１を有する）と、冷媒を交換する。  室外機１００は、コンプレッサー１０３を使って冷媒を圧縮して液化させ、また逆に膨張させて気化させることにより、それに伴う温度の変化を利用して室温を制御し、空調機能を実現する。
【００４２】
また、室外機１００の吐出口１０１は、吸入口１０４の周辺に熱が循環しないようにすることが必要であり、また遮光ネット１の周辺には、障害物を置かないことが重要となる。この遮光ネット１は、室外機１００の熱交換器１０２の負荷を減らすこととなり、消費電力の削減に大きな効果をもたらす。
【００４３】
この他にも、図４に示すように、家屋５００の屋根５０１にも遮光ネット１を取付けることが可能であり、この場合には、太陽光が直に当らないように、アルミやステンレス等の鋼材に特殊金具等を使って屋根５０１を覆うように取付ける。取付けは遮光ネット１と屋根５０１の間に２０〜３０ｃｍ程度の隙間を空けることが好ましく、この隙間により空気層が形成されることにより、通気性が良好になり屋根の表面温度も下げることができる。
【００４４】
このように、遮光ネット１は、建物の屋根、屋上、テラス、及び空調設備の室外機等の様々な取付対象に対して取付可能であり、その取付によって、直射日光や冷気を遮蔽することにより、周辺温度調整を行うことで空調設備の消費電力を削減できる。例えば、室外機を取付対象とする場合には、夏場には、室外機周辺の外気温度の上昇を抑制し、また冬場には、逆に熱を逃がさず保温効果を保ち、年間を通じて熱交換器の負荷電力の消耗を抑制することが可能となる。
【００４５】
（第２の実施形態）
以下、第２の実施形態に係る遮光ネットを説明する。
【００４６】
第２の実施形態に係る遮光ネット１は、上記第１の実施形態に係る遮光ネット１の構成と同じく、前記表面１１、前記表面側光触媒１１ａ、前記背面１２、前記背面側光触媒１２ａ、及び前記中間層１３とを備え、前記表面側光触媒１１ａ及び前記背面側光触媒１２ａの平均粒径が逆転した構成である。すなわち、図５（ａ）に示すように、前記表面側光触媒１１ａに平均粒径の小さい光触媒を用いると共に、前記背面側光触媒１２ａには、前記表面側光触媒１１ａに用いる光触媒よりも、平均粒径の大きい光触媒を用いるという構成である。
【００４７】
このような構成から、図５（b）に示すように、その平均粒径と波長（吸収又は反射）の相関関係によって、光触媒の平均粒径が小さい表面側光触媒１１ａでは紫外線Aを吸収しやすくなり、光触媒の平均粒径が大きい背面側光触媒１２ａでは赤外線Bを反射しやすくなることから、透過性基材の表面１１では紫外線Aを吸収し、背面１２では赤外線Bを反射することとなり、透過性基材の表面１１では紫外線Aの吸収による殺菌作用の維持がなされると共に、背面１２で赤外線Bの反射による断熱性（保温性）の維持がなされることとなり、透過性基材の表面１１に繁殖しやすい菌類による影響を抑制することができると共に、内部が保温されることにより外気による温度湿度の変動を受け難くなり、遮光ネット１の温度湿度の変動による劣化を抑制でき、長期間にわたって、安定的に遮光性能を維持することができる。
【００４８】
さらに、光触媒の平均粒径については、表面側光触媒１１ａに用いる平均粒径の小さい光触媒については、ナノオーダーであり、背面側光触媒１２ａに用いる平均粒径の大きい光触媒については、マイクロオーダーであることがより好ましい。
【００４９】
この構成により、平均粒径がナノオーダーの光触媒では波長の短い側の光（紫外線）が選択的に吸収され易くなり、平均粒径がマイクロオーダーの光触媒では波長の長い側の光（赤外線）が選択的に吸収され易くなり、この平均粒径と波長（吸収又は反射）の相関関係から、透過性基材の表面１１及び背面１２のうち、塗布された光触媒の平均粒径が小さい表面側光触媒１１ａではより紫外線を選択的に吸収しやすくなり、塗布された光触媒の平均粒径が大きい背面側光触媒１２ａではより赤外線を選択的に反射しやすくなることから、透過性基材の表面１１では紫外線Bの吸収による殺菌作用の維持がより高精度になされると共に、背面１２では赤外線Aの反射による断熱性（保温性）の維持がより高精度になされることとなり、屋外環境における外気による温度湿度の変動及び菌類による影響を効率的に抑制することができ、長期間にわたって、さらに安定的に遮光性能を維持することができる。
【００５０】
（第３の実施形態）
以下、第３の実施形態に係る遮光ネットを説明する。
【００５１】
第３の実施形態に係る遮光ネット１は、上記第１又は第２の実施形態に係る遮光ネット１の構成と同じく、前記表面１１、前記表面側光触媒１１ａ、前記背面１２、前記背面側光触媒１２ａ、及び前記中間層１３とを備え、図６（ａ）に示すように、前記透過性基材の表面に霧を噴霧する噴霧手段２を備える構成である。
【００５２】
噴霧手段２は、霧吹き機等の水を噴霧する装置や散水装置を用いることが可能である。このように、透過性基材の表面に霧を噴霧する噴霧手段２を備えることから、噴霧された水分によって、紫外線と透過性基材の表面の光触媒との化学反応が促進されることとなり、気化熱の蒸散効果を更に増すことができる。
【００５３】
（その他の実施形態）
なお、その他の実施形態に係る遮光ネット１としては、上記第１〜第３のいずれかの実施形態に係る遮光ネット１の構成と同じく、前記表面１１、前記表面側光触媒１１ａ、前記背面１２、前記背面側光触媒１２ａとを備え、図６（b）に示すように、表面１１及び背面１２の間に中空状の中間層１３を有しない構成とすることも可能である。遮光ネット１は、このような構成によって、より簡素な構成とすることができることから、よりコストを抑えて製造することが可能となる。
【符号の説明】
【００５４】
１  遮光ネット
１１  表面
１１ａ  表面側光触媒
１２  背面
１２ａ  背面側光触媒
１３  中間層
２  噴霧手段
１００  室外機
１０１  吐出口
１０２  熱交換器
１０３  コンプレッサー
１０４  吸入口
１０５  排出口
２００  アングル
３００  冷媒配管
４００  室内機
４０１  熱交換器
５００  家屋
５０１  屋根
Ａ  紫外線
Ｂ  赤外線
【図１】
0003202028.tif 000003
【図２】
0003202028.tif 000004
【図３】
0003202028.tif 000005
【図４】
0003202028.tif 000006
【図５】
0003202028.tif 000007
【図６】
0003202028.tif 000008